(57)【特許請求の範囲】
【請求項１】
左側と右側とに間隔をおいた２本の垂直方向の背もたれパイプと座席部と４個の車輪とからなる車椅子において、背もたれパイプに、背もたれパイプの周囲に沿ってそれぞれ上下方向に移動自在にするとともに水平方向に回転自在である着脱自在の第１止め部材を、設け、該第１止め部材の側面に対して、水平方向の前端部に垂直方向の折り曲げ部を有するベルト用パイプを、前後方向に取り付けるための構造を有し、該ベルト用パイプの相対向する左側のベルト用パイプの折り曲げ部と右側のベルト用パイプの折り曲げ部とに身体支持ベルトをそれぞれ一本ずつそれぞれ取り付けてなる車椅子であって、該第１止め部材の側面に対して、該ベルト用パイプを取り付けるための構造として、第１止め部材の側面に設けられた、中央部には片側に突出した回転用固定軸を有する止め板と、該回転用固定軸の先端部に止着する、ベルト用パイプを所定方向に回転自在でありかつ前後方向に移動自在となるよう取り付けられる、第２止め部材とを有することを特徴とする車椅子。
【請求項２】
第１止め部材が、半円形の孔を有する一方の背もたれパイプの止め部材と、半円形の孔を有する他方の背もたれパイプの止め部材とを、相対向して設けるものであり、該第１止め部材である２個の半円形の孔からなる円形孔の双方の止め部材、および止め板に、それぞれ同じ位置に、止め具用孔を設けて、該止め具用孔に着脱自在の止め具を挿通して着脱自在に止着してなる請求項１に記載の車椅子。
【請求項３】
第１止め部材が、２本の背もたれパイプの上下方向に所定の間隔をおいてそれぞれ３個ずつ着脱自在に止める部材である請求項１または２に記載の車椅子。
【請求項４】
身体支持ベルトが、ベルト用パイプの折り曲げ部に、ベルトの一方の片面に着脱自在の一方の止めテープを設けるとともにベルトの他方の片面に着脱自在の他方の止めテープを設けて、着脱自在に止める身体支持ベルトである請求項１〜３のいずれか一項に記載の車椅子。
【請求項５】
身体支持ベルトが、ベルト用パイプの折り曲げ部に、身体支持ベルト端部に有する長さ調節止め具を設けて、着脱自在に止める身体支持ベルトである請求項１〜４のいずれか一項に記載の車椅子。
【請求項６】
第２止め部材が、上下方向の一方を前後方向に第１すり割り溝を設けるとともに上下方向の他方を左右方向に第２すり割り溝を設けて、それぞれの割り溝の方向と直交する方向の上部と下部の回転用止め具でそれぞれ着脱自在に止める第２止め部材で止着してなる請求項１〜５のいずれか一項に記載の車椅子。
【発明の詳細な説明】
【技術分野】
【０００１】  この発明は、車椅子の背もたれパイプにベルト用パイプを介してベルトを取り付けた車椅子に係るものである。
【背景技術】
【０００２】  従来は、車椅子の背もたれパイプに乳母車と同様にシートを設けた車椅子がある。【０００３】  従来のこの車椅子は、左右両側で垂直方向の背もたれパイプと背もたれパイプとに、１枚の丈夫なシートを取り付けていた。
【発明の概要】
【発明が解決しようとする課題】
【０００４】  この従来の車椅子は、車椅子の後方で左右両側に背もたれパイプと背もたれパイプとに、丈夫な背もたれベルトを直接に取り付けたものであるために、１枚の丈夫なシートの横方向の長さ・横幅を利用者の身体の横幅に合わせて所定の身体の横幅に変更できないという問題点があった。
このために、利用者の横幅、体形に適合した車椅子の背もたれ部の横幅などを変更できる車椅子の出現が要望されている。
特に、身体障害者の湾曲した体形に合わせたシートベルトを有する車椅子の出現が要望されている。【０００５】  この発明は、従来の車椅子が有するこの問題点を解消することであるとともにこの利用者の要望に応じることである。
【課題を解決するための手段】
【０００６】  背もたれパイプに、背もたれパイプの周囲に沿ってそれぞれ上下方向に移動自在にするとともに水平方向に回転自在である着脱自在の第１止め部材を、設け、この第１止め部材の側面に対して、水平方向の前端部に垂直方向の折り曲げ部を有するベルト用パイプを、前後方向に取り付けるための構造を有し、このベルト用パイプの相対向する左側のベルト用パイプの折り曲げ部と右側のベルト用パイプの折り曲げ部とに身体支持ベルトをそれぞれ一本ずつそれぞれ取り付けてなる車椅子であって、該第１止め部材の側面に対して、該ベルト用パイプを取り付けるための構造として、第１止め部材の側面に設けられた、中央部には片側に突出した回転用固定軸を有する止め板と、該回転用固定軸の先端部に止着する、ベルト用パイプを所定方向に回転自在でありかつ前後方向に移動自在となるよう取り付けられる、第２止め部材とを有するものである。
【発明の効果】
【０００７】  この発明の車椅子は、背もたれパイプに、背もたれパイプの周囲に沿ってそれぞれ上下方向に移動自在にするとともに水平方向に回転自在である着脱自在の第１止め部材を、設け、この第１止め部材の側面に対して、水平方向の前端部に垂直方向の折り曲げ部を有するベルト用パイプを、前後方向に取り付けるための構造を有し、このベルト用パイプの相対向する左側のベルト用パイプの折り曲げ部と右側のベルト用パイプの折り曲げ部とに身体支持ベルトをそれぞれ一本ずつそれぞれ取り付けてなる車椅子であって、該第１止め部材の側面に対して、該ベルト用パイプを取り付けるための構造として、第１止め部材の側面に設けられた、中央部には片側に突出した回転用固定軸を有する止め板と、該回転用固定軸の先端部に止着する、ベルト用パイプを所定方向に回転自在でありかつ前後方向に移動自在となるよう取り付けられる、第２止め部材とを有するから、ベルト用パイプを左側の背もたれパイプより右側及び左側へと回転することができるとともにベルト用パイプを右側の背もたれパイプより左側及び右側へと回転することができるために、やや大きく回転することにより小学生のように身体の横幅の小さい体形の利用者に合致して使い易くすることができるし、同様に回転する角度をやや小さく回転することにより中学生、高校生のように身体のやや大きい体形の利用者に合致して使い易くすることができる。
そして、背もたれパイプと背もたれパイプと間隔と同じ横幅に回転して止着することにより通常の大人の横幅にすることができるし、同様にして太った大人の横幅にすることができる。
さらに、第１止め部材を緩めて背もたれパイプにそってベルト用パイプを上下方向に移動することができるために、体形が変形している身体の不自由な人（身体障害者）などの体形に合わせた形状にベルト用パイプとベルトとを変形することができるので、身体の不自由な人などの体形に合った良い状態で使用することができるし、第２止め部材で背もたれパイプを回転用固定軸の周囲で回転することもできるために、背もたれパイプと背もたれパイプとの間に取り付けたベルトを水平方向から上方向又は下方向に微調整して傾斜することができるために利用者の体形に合致させた良い形状にすることにより、車椅子を使い易くすることができる。【０００８】  請求項２の車椅子は、第１止め部材が、半円形の孔を有する一方の背もたれパイプの止め部材と、半円形の孔を有する他方の背もたれパイプの止め部材とを、相対向して設けるものであり、該第１止め部材である２個の半円形の孔からなる円形孔の双方の止め部材、および止め板に、それぞれ同じ位置に、止め具用孔を設けて、この止め具用孔に着脱自在の止め具を挿通して着脱自在に止着してなる第１止め部材であるから、この止め具で双方の止め部材を着脱自在に止めることができるし、この止め具を緩めることにより背もたれパイプの周囲を、第１止め部材やベルト用パイプなどを自由に回転させることができるためにベルト用パイプとベルト用パイプとの間隔、即ち、ベルトの横方向長さ・横幅を自由に変更することができて、車椅子を利用する人の体形・横幅などに合わせて希望する横幅にすることができる。【０００９】  請求項３の車椅子は、第１止め部材が、２本の背もたれパイプの上下方向に所定の間隔をおいてそれぞれ３個ずつ着脱自在に止める第１止め部材であるから、これらの第１止め部材やベルト用パイプなどを自由に回転させることができるためにベルト用パイプとベルト用パイプとの間隔、即ち、ベルトの横方向長さ・横幅を自由に変更することができて、車椅子を利用する人の体形・横幅などに合わせて希望する横幅にすることができる。【００１０】  請求項４の車椅子は、身体支持ベルトが、ベルト用パイプの折り曲げ部に、ベルトの一方の片面に着脱自在の一方の止めテープを設けるとともにベルトの他方の片面に着脱自在の他方の止めテープを設けて、着脱自在に止める身体支持ベルトであるから、ベルト用パイプの折り曲げ部とペルト用パイプの折り曲げ部との横方向の長さ（横幅）が異なっても身体支持ベルトを円滑に止着することができる。【００１１】  請求項５の車椅子は、身体支持ベルトが、ベルト用パイプの折り曲げ部に、身体支持ベルト端部に有する長さ調節止め具を設けて、着脱自在に止める身体支持ベルトであるから、ベルト用パイプの折り曲げ部とペルト用パイプの折り曲げ部との横方向の長さ（横幅）が異なっても身体支持ベルトを円滑に止着することができる。【００１２】  請求項６の車椅子は、第２止め部材が、上下方向の一方を前後方向に第１すり割り溝を設けるとともに上下方向の他方を左右方向にすり割り溝を設けて、それぞれの割り溝の方向と直交する方向の上部と下部の回転用の止め具でそれぞれ着脱自在に止着したから、回転用の止め具を緩めてベルト用パイプを回転することができ��とともにベルト用パイプを前後方向に移動することができるためにベルト用パイプに取り付けたベルトを回転したり、移動したりして微調整することができるために利用者の体形に合致させた良い形状にすることができるし、第２止め部材にすり割り溝を同じ方向に設けたものに比較して破壊に対する強度を大きくすることができる。【００１３】
【図面の簡単な説明】
【００１４】
【図１】本発明品の正面図である。
【図２】同じく側面図である。
【図３】同じく平面図である。
【図４】同じく要部の平面図である。
【図５】同じく要部の側面図である。
【図６】本発明品の変形した正面図である。
【図７】身体支持ベルトの正面図である。
【図８】身体支持ベルトの背面図である。
【図９】身体支持ベルトを止めた時の１例の側面図である。
【図１０】身体支持ベルトを止めた時の２例の側面図である。
【図１１】身体支持ベルトの別の正面図である。
【図１２】身体支持ベルトを止めた時の別の側面図である。
【図１３】本発明品の要部の拡大平面図である。
【図１４】同じく要部の拡大側面図である。
【図１５】同じく第２止め具の正面図である。
【図１６】同じく第２止め具の側面図である。
【図１７】同じく第２止め具の平面図である。
【図１８】本発明品を大人が使用した正面図である。
【図１９】本発明品を身体障害者が使用した正面図である。
【発明を実施するための形態】
【００１５】本発明の車椅子は、左側と右側とに間隔をおいた２本の垂直方向の背もたれパイプと座席部と４個の車輪とからなる車椅子において、背もたれパイプに、背もたれパイプの周囲に沿ってそれぞれ上下方向に移動自在にするとともに水平方向に回転自在である着脱自在の第１止め部材を、設け、この第１止め部材の側面に対して、水平方向の前端部に垂直方向の折り曲げ部を有するベルト用パイプを、前後方向に取り付けるための構造を有し、このベルト用パイプの相対向する左側のベルト用パイプの折り曲げ部と右側のベルト用パイプの折り曲げ部とに身体支持ベルトをそれぞれ一本ずつそれぞれ取り付けてなる車椅子であって、該第１止め部材の側面に対して、該ベルト用パイプを取り付けるための構造として、第１止め部材の側面に設けられた、中央部には片側に突出した回転用固定軸を有する止め板と、該回転用固定軸の先端部に止着する、ベルト用パイプを所定方向に回転自在でありかつ前後方向に移動自在となるよう取り付けられる、第２止め部材とを有するものである。
【実施例】【００１６】
【実施例１】
車椅子１は、図１から図３に図示のように、左右２本の垂直方向の背もたれパイプ２，２にそれぞれ第１止め具３を上下方向に所定の間隔をおいて着脱自在に設ける。
この第１止め具は、図４と図５に図示のように、半円形の孔を有する１方の背もたれパイプの止め部材３１と、半円形の孔を有する他方の背もたれバイプの止め部材３２とを、相対向して設け、２個の半円形の孔からなる円形孔の双方の止め部材３１，３２にそれぞれ同じ位置に、止め具用孔を設けて、この止め具用孔にボルト４を挿通して着脱自在に止めるものである。
この止め部材３２の他方の側面に、先端部を下方向に曲げたベルト用パイプ５を、水平方向に溶接し、このベルト用パイプ５に身体支持ベルト６をそれぞれ取り付ける。
この身体支持ベルトは、図７と図８に図示のように、表側に着脱自在の１方のテープ６１を設け、裏側に着脱自在の他方のテープ６２を設けて、図９に図示のように、ベルトの横方向の幅・横幅を大きくして止着したり、図１０に図示のように、ベルトの横方向の幅・横幅を小さくして止着したりなどして背もたれパイプ（図示せず）に着脱自在に止める。
図１１に図示したベルト６３は、ベルトの端部に長さ調整止め具７を設け、必要とする所定のベルトの横方向の幅・横幅にして背もたれパイプ（図示せず）に着脱自在に止める。
図６は、第１止め具３１とベルト用パイプ５１とを背もたれパイプ２１の外側から内側に変更してベルト用パイプ５１を背もたれパイプ２１の内側にすることにより身体支持ベルト６３の横方向の幅・横幅を小さくして子供など身体の横幅が小さい人の車椅子１１として使用するものです。【００１７】
【実施例２】
実施例２の車椅子１１が実施例１の車椅子と異なる構成は図１３から図１９に図示のように、双方の止め部材１３１，１３２のうちの１つの止め部材１３２の片側中央部に回転用固定軸１４を、水平方向に突出して固定する（図１３図１４に図示）。
この回転用固定軸の周囲に第２止め具１５を設け、この第２止め具は、左右方向に回転用固定軸用の円形穴１６を有するとともに前後方向にベルト用パイプの円形穴１７を有する。
そして、この第２止め具に、上下方向の上方に第１すり割り溝１５３を前後方向に設けるとともに上下方向の下方に第２すり割り溝１５４左右方向に設け、それぞれの割り溝の方向と直交する方向の下部のネジ穴１５１と上部のネジ穴１５２を設ける。
この止着は、第２止め具１４に有する回転用固定軸用の円形穴１６に回転用固定軸１４を差し込み、第２止め具に有するベルト用パイプの円形穴１７にベルト用パイプ１９，１９を差し込んでそのまま又は所定の方向まで回転したり、前後方向に移動した後にネジ穴１５１とネジ穴１５２にネジをそれぞれ挿入して着脱自在に止着する（図１４図示）。
更に、このベルト用パイプの相対向する左側のベルト用パイプ１８と右側のベルト用パイプ１８とに、身体支持ベルト１９を１本ずつそれぞれ取り付けてなる車椅子です。【００１８】  この実施例２の車椅子は第１止め具を緩めて背もたれパイプの周囲を第１止め具とベルト用パイプなどを水平方向に回転と上下方向に移動できるし、ベルト用パイプを前後方向に移動して奥行きを調整などできる（図１３図１４矢印図示）ために、各部品を回転させたり、前後に移動したり、取り付け方向を調整などして１台の車椅子を子供用も大人用もそして身体障害者（図１８図１９図示）も使用できます。
【符号の説明】【００１９】
【符号の説明】
１ 車椅子
２ 背もたれパイプ
３ 第１止め具
４ ボルト
５ ベルト用パイプ
６ 身体支持ベルト
６１ １方のテープ
６２ 他方のテープ
６３ 身体支持ベルト
７      調整止め具
１１    車椅子
１２    背もたれパイプ
１３１  止め部材
１３２  止め部材
１４ 回転用固定軸
１５ 第２止め具
１６    回転用固定軸の円形穴
１７ ベルト用パイプの円形穴
１８    ベルト用パイプ
１９    身体支持ベルト
２０ 大人
２１ 身体障害者
【図１】
0005988109.tif 000002
【図２】
0005988109.tif 000003
【図３】
0005988109.tif 000004
【図４】
0005988109.tif 000005
【図５】
0005988109.tif 000006
【図６】
0005988109.tif 000007
【図７】
0005988109.tif 000008
【図８】
0005988109.tif 000009
【図９】
0005988109.tif 000010
【図１０】
0005988109.tif 000011
【図１１】
0005988109.tif 000012
【図１２】
0005988109.tif 000013
【図１３】
0005988109.tif 000014
【図１４】
0005988109.tif 000015
【図１５】
0005988109.tif 000016
【図１６】
0005988109.tif 000017
【図１７】
0005988109.tif 000018
【図１８】
0005988109.tif 000019
【図１９】
0005988109.tif 000020